(57)【特許請求の範囲】
【請求項１】
同期転送を行う時分割多重回線上に設定されフレーム構造のデータを伝送するパスを複数選択して１つのグループとし、送信側にてグループ内各パスの各フレームに、送信データをマッピングするとともに、グループ内の位置及び送信順序を示すための識別情報を付与することにより、受信側にてグループ内各パスの伝送時間差を吸収し受信した送信データを正しい順序でデマッピング可能としたバーチャルコンカチネーションを行う伝送システムにおいて、
前記識別情報として前記各フレームの送受信順序を示す値を用い、同一グループとして選択された互いに伝送速度の異なる複数種類のパスのうち、最も伝送速度の高いパス種類以外のパス種類の前記送受信順序を示す値をカウントする周期を、前記最も伝送速度の高いパス種類の前記送受信順序を示す値をカウントする周期に合わせる手段と、
前記カウントする周期の合わせられた前記識別情報に基づいて前記送信データのマッピングを行う手段と、
前記カウントする周期の合わせられた前記識別情報に基づいて前記受信した送信データのデマッピングを行う手段とを有し、
互いに伝送速度の異なる複数種類のパスを種類ごとに少なくとも１つ混在させて同一グループにバーチャルコンカチネーションして送信データの伝送を行うことを特徴とするバーチャルコンカチネーション伝送システム。
【請求項２】
前記送信データの必要帯域に対応して、同一グループとして選択する前記互いに伝送速度の異なる複数種類のパスの最も効率の良い組み合わせを判定する手段を有することを特徴とする請求項１記載のバーチャルコンカチネーション伝送システム。
【請求項３】
前記同期転送を行う時分割多重回線は、ＳＤＨ／ＳＯＮＥＴ信号用の回線であり、前記互いに伝送速度の異なる複数種類のパスは、ＶＣ−３及びＶＣ−４のいずれか一方または両方の高次バーチャルコンテナ・パスと、ＶＣ−１１及びＶＣ−１２のいずれか一方または両方の低次バーチャルコンテナ・パスとの両方のパスを混在して含んでいることを特徴とする請求項１または２記載のバーチャルコンカチネーション伝送システム。
【請求項４】
前記送信データは、必要帯域を任意に設定可能なイーサネット（登録商標）信号であることを特徴とする請求項３記載のバーチャルコンカチネーション伝送システム。
【請求項５】
同期転送を行う時分割多重回線上に設定されフレーム構造のデータを伝送するパスを複数選択して１つのグループとし、送信側にてグループ内各パスの各フレームに、送信データをマッピングするとともに、グループ内の位置及び送信順序を示すための識別情報を付与することにより、受信側にてグループ内各パスの伝送時間差を吸収し受信した送信データを正しい順序でデマッピング可能としたバーチャルコンカチネーションを行う伝送システムの伝送方法において、
前記識別情報として前記各フレームの送受信順序を示す値を用い、互いに伝送速度の異なる複数種類のパスを種類ごとに少なくとも１つ混在させて同一グループにバーチャルコンカチネーションし、
前記同一グループとして選択された互いに伝送速度の異なる複数種類のパスのうち、最も伝送速度の高いパス種類以外のパス種類の前記送受信順序を示す値をカウントする周期を、前記最も伝送速度の高いパス種類の前記送受信順序を示す値をカウントする周期に合わせ、
前記カウントする周期の合わせられた前記識別情報に基づいて前記送信データのマッピングを行い、
前記カウントする周期の合わせられた前記識別情報に基づいて前記受信した送信データのデマッピングを行うことを特徴とするバーチャルコンカチネーション伝送方法。
【請求項６】
前記送信データの必要帯域に対応して、同一グループとして選択する前記互いに伝送速度の異なる複数種類のパスの最も効率の良い組み合わせを判定することを特徴とする請求項５記載のバーチャルコンカチネーション伝送方法。
【請求項７】
前記同期転送を行う時分割多重回線は、ＳＤＨ／ＳＯＮＥＴ信号用の回線であり、前記互いに伝送速度の異なる複数種類のパスは、ＶＣ−３及びＶＣ−４のいずれか一方または両方の高次バーチャルコンテナ・パスと、ＶＣ−１１及びＶＣ−１２のいずれか一方または両方の低次バーチャルコンテナ・パスとの両方のパスを混在して含んでいることを特徴とする請求項５、または６記載のバーチャルコンカチネーション伝送方法。
【請求項８】
前記送信データは、必要帯域を任意に設定可能なイーサネット（登録商標）信号であることを特徴とする請求項７記載のバーチャルコンカチネーション伝送方法。
【請求項９】
同期転送を行う時分割多重回線上に設定されフレーム構造のデータを伝送するパスを複数選択して１つのバーチャルコンカチネーション・グループとし、グループ内各パスの各フレームに、送信データをマッピングするとともに、グループ内の位置及び送信順序を示すための識別情報を付与して送信する伝送装置において、
前記識別情報として前記各フレームの送受信順序を示す値を用い、前記バーチャルコンカチネーション・グループとして、互いに伝送速度の異なる複数種類のパスを種類ごとに少なくとも１つ混在させて指定する手段と、
前記バーチャルコンカチネーション・グループとして選択された互いに伝送速度の異なる複数種類のパスのうち、最も伝送速度の高いパス種類以外のパス種類の前記送受信順序を示す値をカウントする周期を、前記最も伝送速度の高いパス種類の前記送受信順序を示す値をカウントする周期に合わせる手段と、
前記カウントする周期の合わせられた前記識別情報に基づいて前記送信データのマッピングを行い送信する手段とを有することを特徴とするバーチャルコンカチネーション伝送装置。
【請求項１０】
同期転送を行う時分割多重回線上に設定されフレーム構造のデータを伝送するパスを複数選択して１つのバーチャルコンカチネーション・グループとし、受信したグループ内各パスの各フレームから付与されたグループ内の位置及び送信順序を示すための識別情報に基づいて送信データをデマッピングする伝送装置において、
前記識別情報として前記各フレームの送受信順序を示す値を用い、前記バーチャルコンカチネーション・グループとして、互いに伝送速度の異なる複数種類のパスを種類ごとに少なくとも１つ混在させて指定する手段と、
前記バーチャルコンカチネーション・グループとして選択された互いに伝送速度の異なる複数種類のパスのうち、最も伝送速度の高いパス種類以外のパス種類の前記送受信順序を示す値をカウントする周期を、前記最も伝送速度の高いパス種類の前記送受信順序を示す値をカウントする周期に合わせる手段と、
前記カウントする周期の合わせられた前記識別情報に基づいて前記受信した送信データのデマッピングを行う手段とを有することを特徴とするバーチャルコンカチネーション伝送装置。
【請求項１１】
同期転送を行う時分割多重回線上に設定されフレーム構造のデータを伝送するパスを複数選択して１つのバーチャルコンカチネーション・グループとし、送信側にてグループ内各パスの各フレームに、送信データをマッピングするとともに、グループ内の位置及び送信順序を示すための識別情報を付与することにより、受信側にてグループ内各パスの伝送時間差を吸収し受信した送信データを正しい順序でデマッピング可能としたバーチャルコンカチネーション伝送装置において、
前記バーチャルコンカチネーション・グループとして、互いに伝送速度の異なる複数種類のパスを種類ごとに少なくとも１つ混在させて指定する手段と、
前記識別情報として前記各フレームの送受信順序を示す値を用い、前記バーチャルコンカチネーション・グループとして選択された互いに伝送速度の異なる複数種類のパスのうち、最も伝送速度の高いパス種類以外のパス種類の前記送受信順序を示す値をカウントする周期を、前記最も伝送速度の高いパス種類の前記送受信順序を示す値をカウントする周期に合わせる手段と、
前記カウントする周期の合わせられた前記識別情報に基づいて前記送信データのマッピングを行い送信する手段と、
前記カウントする周期の合わせられた前記識別情報に基づいて前記受信した送信データのデマッピングを行う手段とを有することを特徴とするバーチャルコンカチネーション伝送装置。
【請求項１２】
前記送信データの必要帯域に対応して、バーチャルコンカチネーション・グループとして選択する前記互いに伝送速度の異なる複数種類のパスの最も効率の良い組み合わせを判定する手段を有することを特徴とする請求項９、１０、または１１記載のバーチャルコンカチネーション伝送装置。
【請求項１３】
前記送信データの必要帯域に対応して、バーチャルコンカチネーション・グループとして選択する前記互いに伝送速度の異なる複数種類のパスの最も効率の良い組み合わせを判定する手段が、外部の管理装置に設けられ、判定結果を前記管理装置から受信することを特徴とする請求項１２記載のバーチャルコンカチネーション伝送装置。
【請求項１４】
前記送信データの必要帯域に対応して、バーチャルコンカチネーション・グループとして選択する前記互いに伝送速度の異なる複数種類のパスの最も効率の良い組み合わせを判定する手段が、外部の管理装置に設けられ、
前記送信データの必要帯域を検出すると前記管理装置に送信し、判定結果を前記管理装置から受信することを特徴とする請求項９、または１１記載のバーチャルコンカチネーション伝送装置。
【請求項１５】
前記同期転送を行う時分割多重回線は、ＳＤＨ／ＳＯＮＥＴ信号用の回線であり、前記互いに伝送速度の異なる複数種類のパスは、ＶＣ−３及びＶＣ−４のいずれか一方または両方の高次バーチャルコンテナ・パスと、ＶＣ−１１及びＶＣ−１２のいずれか一方または両方の低次バーチャルコンテナ・パスとの両方のパスを混在して含み、
前記低次バーチャルコンテナ・パスのパスオーバーヘッドにマルチフレーム情報をあらたに定義し、高次バーチャルコンテナ・パスのマルチフレーム構成と同じにしたことを特徴とする請求項９、１０、または１１記載のバーチャルコンカチネーション伝送装置。
【請求項１６】
前記送信データは、必要帯域を任意に設定可能なイーサネット（登録商標）信号であることを特徴とする請求項１２、１３、１４、または１５記載のバーチャルコンカチネーション伝送装置。
【発明の詳細な説明】
【技術分野】
【０００１】
本発明は、同期転送を行う時分割多重回線上に設定されフレーム構造のデータを伝送するパスを複数選択して１つのグループとし、送信側にてグループ内各パスの各フレームに送信データをマッピングするとともに、グループ内の位置及び送信順序を示すための識別情報を付与することにより、受信側にてグループ内各パスの伝送時間差を吸収し送信データを正しい順序でデマッピング可能としたバーチャルコンカチネーションを行う伝送システム、及びそれに用いる伝送装置とその伝送方法に関する。
【背景技術】
【０００２】
近年のインターネット需要の拡大にともなう通信網インフラのブロードバンド化が進む中で、固定通信網であるＳＤＨ／ＳＯＮＥＴ網を利用したデータ系信号伝送の需要が高まってきている。そのなかでも特に、ＳＤＨ／ＳＯＮＥＴ信号にイーサネット（登録商標）信号を収容するＥｔｈｅｒｎｅｔ（登録商標）−ｏｖｅｒ−ＳＤＨ／ＳＯＮＥＴ技術［ＥｏＳ］が、広く使用されている。ＩＴＵ−ＴのＧ．７０７にて勧告化されているＶＣパスを任意の数を組み合わせて任意の帯域を構成できるＶＣＡＴ技術はこのＥｏＳを実現するうえで不可欠な技術となっている。
【０００３】
なお、ＩＴＵ−Ｔは、Ｉｎｔｅｒｎａｔｉｏｎａｌ  Ｔｅｌｅｃｏｍｍｕｎｉｃａｔｉｏｎｓ  Ｕｎｉｏｎ  −  Ｔｅｌｅｃｏｍｍｕｎｉｃａｔｉｏｎｓ  Ｓｔａｎｄａｒｄｉｚａｔｉｏｎ  Ｓｅｃｔｏｒ［国際電気通信連合の電気通信標準化部門］のことである。また、ＳＤＨは、Ｓｙｎｃｈｒｏｎｏｕｓ  Ｄｉｇｉｔａｌ  Ｈｉｅｒａｒｃｈｙ［光ファイバーを用いた高速デジタル通信方式］、ＳＯＮＥＴは、Ｓｙｎｃｈｒｏｎｏｕｓ  Ｏｐｔｉｃａｌ  ＮＥＴｗｏｒｋ［米国における光ファイバーを用いた高速デジタル通信方式］のことである。ＳＤＨとＳＯＮＥＴとで共通な事項（名称は異なる場合がある）について述べるときは、ＳＤＨ／ＳＯＮＥＴ、あるいはＳＯＮＥＴ／ＳＤＨと記す。さらに、ＶＣは、Ｖｉｒｔｕａｌ  Ｃｏｎｔａｉｎｅｒ［バーチャル（仮想）コンテナー］、ＶＣＡＴは、Ｖｉｒｔｕａｌ  Ｃｏｎｃａｔｅｎａｔｉｏｎ［バーチャルコンカチネーション］のことである。
【０００４】
ＶＣＡＴがもつ長所は、離散パスを一つのバーチャルコンカチネーション・グループ（以下、ＶＣＧと記す）として取り扱うことによって、従来ＳＤＨ／ＳＯＮＥＴ信号の情報収容単位である単独のＶＣパスや、コンティギュアスコンカチネーションに依存しない帯域を提供できることである。単独のＶＣパスとしては、例えば、ＶＣ−４、ＶＣ−３、ＶＣ−２、ＶＣ−１２、ＶＣ−１１などがある。コンティギュアスコンカチネーションとしては、例えば、ＶＣ−４−４ｃ、ＶＣ−４−１６ｃなどがある。
【０００５】
さらにＶＣＧのメンバであるそれぞれのＶＣパスは、同一の伝送路上だけではなく、距離の異なった複数の伝送路を独立して通過することが可能である。これはそれぞれのＶＣパスがＩＴＵ−ＴのＧ．７０７にて定義されているＨ４バイトもしくはＫ４バイトを用いて５１２ｍｓｅｃのＭＦを構成しているため、経路が異なった伝送路を経由して到着時間が異なった場合においても、各ＶＣパスの位相差を検出し、位相をそろえることができるからである。
【０００６】
このようなバーチャルコンカチネーション（ＶＣＡＴ）技術を用いるシステムの一例が、特許文献１に記載されている。特許文献１記載システムでは、１つのバーチャルコンカチネーション・グループ（ＶＣＧ）を、複数のＶＣ−３の組（あるいは複数のＶＣ−４の組み）で構成している。なお、Ｘ個のＶＣ−ｎで構成したＶＣＧを、ＶＣ−ｎ−Ｘｖと称する。例えば、３個のＶＣ−３で構成したＶＣＧは、ＶＣ−３−３ｖと称する。
【０００７】
【特許文献１】特開２００３−３３３００７号公報（第１−８頁、図１−６）
【発明の開示】
【発明が解決しようとする課題】
【０００８】
上述したように、従来のＶＣＡＴ技術は、同一速度のＶＣパスを複数コンカチネーションして、ＶＣ−４−ＸｖやＶＣ−１２−ＸｖといったＶＣＧに対応した帯域を提供している。このように、ＶＣＧの帯域は、構成するＶＣパスの粒度によって決定されているので、以下に理由を示すように、ＳＤＨ／ＳＯＮＥＴ信号に収容するイーサネット（登録商標）信号の帯域に適合するようにＶＣＧを構成することは難しい。
【０００９】
データ系信号として利用されているイーサネット（登録商標）信号は、ＩＥＥＥ８０２．３にて規格化された１０Ｍｂｐｓ、１００Ｍｂｐｓ、１Ｇｂｐｓといった最大帯域をもつパケット系通信方式である。なお、ＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ［米国電気電子技術協会］のことである。
【００１０】
このイーサネット（登録商標）信号は、実際の運用（トラフィックの状況）においては、前述の規格化された帯域よりも低い帯域を持つ場合がほとんどである。上述したように、従来のＶＣＡＴ技術により構成するＳＤＨ／ＳＯＮＥＴ信号におけるＶＣＧの帯域は、各ＶＣパスの速度×整数倍となっている。そのような帯域のＳＤＨ／ＳＯＮＥＴ信号に、状況により低い帯域で済むイーサネット（登録商標）信号を収容する場合には、ＳＤＨ／ＳＯＮＥＴ側の帯域利用が非効率的になる場合がある。
【００１１】
例えば、ＶＣ−３は４８．３８４Ｍｂｐｓの伝送容量をもっている。ここでＶＣ−３にてＶＣＧを構成して１００Ｍｂｐｓのイーサネット（登録商標）信号を収容しようとした場合、ＶＣ−３−２ｖでは、４８．３８４Ｍｂｐｓ×２＝９６．７８４Ｍｂｐｓとなり、不足する。しかし、ＶＣ−３−３ｖでは、４８．３８４Ｍｂｐｓ×３＝１４５．１５２Ｍｂｐｓとなってしまい、効率的な収容とはいえない。
【００１２】
また、ＩＴＵ−ＴのＧ．７０７では、ＶＣ−１１やＶＣ−１２などの低次バーチャルコンテナ（Ｌｏ−ＶＣ）のＶＣＧの構成メンバは最大６４メンバと定義されているため、ＶＣＧの最大帯域が決定されている。これにより、例えば、ＶＣ−１１（１．５４４Ｍｂｐｓ）をＶＣＧ最大構成である６４メンバとした場合、最大帯域は１．５４４Ｍｂｐｓ×６４＝９８．８１６Ｍｂｐｓとなる。ＶＣ−１２（２．０４８Ｍｂｐｓ）を６４メンバとした場合、最大帯域は２．０４８Ｍｂｐｓ×６４＝１３１．０７２Ｍｂｐｓとなる。このように、ＶＣ−１１やＶＣ−１２などのＬｏ−ＶＣを使用したＶＣＧに、ギガビット（１，０００Ｍｂｐｓ）・イーサネット（登録商標）を収容しようとする場合においては、伝送路帯域として十分なものではなく、それ以上のＶＣＧ帯域の拡張は不可能である。なお、ＶＣ−３やＶＣ−４などは、高次バーチャルコンテナ（Ｈｏ−ＶＣ）と呼ばれ、ＶＣＧの構成メンバは最大２５６メンバとされている。
【００１３】
すなわち、既存のＶＣＡＴ技術においては、粒度の細かいＶＣＧを設定するためにＬｏ−ＶＣを使用することと、ＶＣＧ帯域の伝送容量を大きく設定することはトレードオフの関係をもっている。
【００１４】
本発明の目的は、ＳＤＨ／ＳＯＮＥＴ網などの同期転送を行う時分割多重回線上に異なった伝送速度の複数種類のパスを混在してＶＣＧを構築し、従来のＶＣＡＴ技術よりも自由度が高く、効率的なＶＣＧを構築するバーチャルコンカチネーション伝送システム、及びそれに用いる伝送装置とその伝送方法を提供することにある。
【課題を解決するための手段】
【００１５】
本発明のバーチャルコンカチネーション伝送システムは、同期転送を行う時分割多重回線上に設定されフレーム構造のデータを伝送するパスを複数選択して１つのグループとし、送信側にてグループ内各パスの各フレームに、送信データをマッピングするとともに、グループ内の位置及び送信順序を示すための識別情報を付与することにより、受信側にてグループ内各パスの伝送時間差を吸収し受信した送信データを正しい順序でデマッピング可能としたバーチャルコンカチネーションを行う伝送システムにおいて、識別情報として各フレームの送受信順序を示す値を用い、同一グループとして選択された互いに伝送速度の異なる複数種類のパスのうち、最も伝送速度の高いパス種類以外のパス種類の送受信順序を示す値をカウントする周期を、最も伝送速度の高いパス種類の送受信順序を示す値をカウントする周期に合わせる手段と、カウントする周期の合わせられた識別情報に基づいて送信データのマッピングを行う手段と、カウントする周期の合わせられた識別情報に基づいて受信した送信データのデマッピングを行う手段とを有し、互いに伝送速度の異なる複数種類のパスを種類ごとに少なくとも１つ混在させて同一グループにバーチャルコンカチネーションして送信データの伝送を行う。
【００１９】
本発明のバーチャルコンカチネーション伝送方法は、同期転送を行う時分割多重回線上に設定されフレーム構造のデータを伝送するパスを複数選択して１つのグループとし、送信側にてグループ内各パスの各フレームに、送信データをマッピングするとともに、グループ内の位置及び送信順序を示すための識別情報を付与することにより、受信側にてグループ内各パスの伝送時間差を吸収し受信した送信データを正しい順序でデマッピング可能としたバーチャルコンカチネーションを行う伝送システムの伝送方法において、識別情報として各フレームの送受信順序を示す値を用い、互いに伝送速度の異なる複数種類のパスを種類ごとに少なくとも１つ混在させて同一グループにバーチャルコンカチネーションし、同一グループとして選択された互いに伝送速度の異なる複数種類のパスのうち、最も伝送速度の高いパス種類以外のパス種類の送受信順序を示す値をカウントする周期を、最も伝送速度の高いパス種類の送受信順序を示す値をカウントする周期に合わせ、カウントする周期の合わせられた識別情報に基づいて送信データのマッピングを行い、カウントする周期の合わせられた識別情報に基づいて受信した送信データのデマッピングを行う。
【００２３】
本発明のバーチャルコンカチネーション伝送装置は、同期転送を行う時分割多重回線上に設定されフレーム構造のデータを伝送するパスを複数選択して１つのバーチャルコンカチネーション・グループとし、グループ内各パスの各フレームに、送信データをマッピングするとともに、グループ内の位置及び送信順序を示すための識別情報を付与して送信する伝送装置において、識別情報として各フレームの送受信順序を示す値を用い、バーチャルコンカチネーション・グループとして、互いに伝送速度の異なる複数種類のパスを種類ごとに少なくとも１つ混在させて指定する手段と、バーチャルコンカチネーション・グループとして選択された互いに伝送速度の異なる複数種類のパスのうち、最も伝送速度の高いパス種類以外のパス種類の送受信順序を示す値をカウントする周期を、最も伝送速度の高いパス種類の送受信順序を示す値をカウントする周期に合わせる手段と、カウントする周期の合わせられた識別情報に基づいて送信データのマッピングを行い送信する手段とを有する。
【００２４】
本発明のバーチャルコンカチネーション伝送装置は、同期転送を行う時分割多重回線上に設定されフレーム構造のデータを伝送するパスを複数選択して１つのバーチャルコンカチネーション・グループとし、受信したグループ内各パスの各フレームから付与されたグループ内の位置及び送信順序を示すための識別情報に基づいて送信データをデマッピングする伝送装置において、識別情報として各フレームの送受信順序を示す値を用い、バーチャルコンカチネーション・グループとして、互いに伝送速度の異なる複数種類のパスを種類ごとに少なくとも１つ混在させて指定する手段と、バーチャルコンカチネーション・グループとして選択された互いに伝送速度の異なる複数種類のパスのうち、最も伝送速度の高いパス種類以外のパス種類の送受信順序を示す値をカウントする周期を、最も伝送速度の高いパス種類の送受信順序を示す値をカウントする周期に合わせる手段と、カウントする周期の合わせられた識別情報に基づいて受信した送信データのデマッピングを行う手段とを有する。
【００２５】
本発明のバーチャルコンカチネーション伝送装置は、同期転送を行う時分割多重回線上に設定されフレーム構造のデータを伝送するパスを複数選択して１つのバーチャルコンカチネーション・グループとし、送信側にてグループ内各パスの各フレームに、送信データをマッピングするとともに、グループ内の位置及び送信順序を示すための識別情報を付与することにより、受信側にてグループ内各パスの伝送時間差を吸収し受信した送信データを正しい順序でデマッピング可能としたバーチャルコンカチネーション伝送装置において、  バーチャルコンカチネーション・グループとして、互いに伝送速度の異なる複数種類のパスを種類ごとに少なくとも１つ混在させて指定する手段と、識別情報として各フレームの送受信順序を示す値を用い、バーチャルコンカチネーション・グループとして選択された互いに伝送速度の異なる複数種類のパスのうち、最も伝送速度の高いパス種類以外のパス種類の送受信順序を示す値をカウントする周期を、最も伝送速度の高いパス種類の送受信順序を示す値をカウントする周期に合わせる手段と、カウントする周期の合わせられた識別情報に基づいて送信データのマッピングを行い送信する手段と、カウントする周期の合わせられた識別情報に基づいて受信した送信データのデマッピングを行う手段とを有する。
【発明の効果】
【００３１】
本発明によれば、同期転送を行う時分割多重回線上で同一グループとされた各パスにおけるフレームのグループ内位置及び送信順序を示すための識別情報の表示形式を、最も伝送速度の高いパスの表示形式に合わせる。そして、この表示形式の合わせられた識別情報に基づいて、送信データのマッピング、あるいは、受信した送信データのデマッピングを行う。これにより、送信データの必要帯域に対応した様々な伝送速度のパスによる、自由度が高く、効率的なＶＣＧを構築することができる。
【発明を実施するための最良の形態】
【００３２】
まず本発明の概要を説明する。本発明は、ＩＴＵ−Ｔ  Ｇ．７０７において規定されているバーチャルコンカチネーション（ＶＣＡＴ）技術を用いるＳＤＨ／ＳＯＮＥＴ信号の中継伝送を行うバーチャルコンカチネーション伝送システム、及びそれに用いる伝送装置とその伝送方法に適用される。このような伝送システム、伝送装置において、同一のバーチャルコンカチネーション・グループ（ＶＣＧ）内に、互いに異なる速度（帯域）の低次バーチャルコンテナ（Ｌｏ−ＶＣ）と、高次バーチャルコンテナ（Ｈｏ−ＶＣ）とを混在してコンカチネーションする。これにより、様々な帯域のＶＣＧを任意に設定することができる。
【００３３】
より具体的に説明する。イーサネット（登録商標）機器が接続されたＳＤＨ／ＳＯＮＥＴ信号中継伝送装置を伝送路を介して互いに対向させ、イーサネット（登録商標）信号をＩＴＵ−Ｔ  Ｇ．７０７において勧告されているＶＣＡＴ技術を用いて中継伝送するシステムを構築する。このシステムにおいて、伝送路で用いられるＶＣＧの帯域を、ＶＣ−４（１３９．２６４Ｍｂｐｓ）、ＶＣ−３（４４．７３６Ｍｂｐｓ）、ＶＣ−１２（２．０４８Ｍｂｐｓ）、及びＶＣ−１１（１．５４４Ｍｂｐｓ）などの異なる情報収容帯域のＶＣパスを混在して構成する。なお、ＶＣ−４及びＶＣ−３が高次バーチャルコンテナ（Ｈｏ−ＶＣ）、ＶＣ−１２及びＶＣ−１１が低次バーチャルコンテナ（Ｌｏ−ＶＣ）である。これにより、イーサネット（登録商標）機器間に流れているイーサネット（登録商標）トラフィックの帯域を最適に合わせ込み、ＳＤＨ／ＳＯＮＥＴ信号の伝送路帯域を有効活用する。
【００３４】
次に、本発明の実施の形態について図面を参照して詳細に説明する。
【実施例１】
【００３５】
図１は本発明の一実施の形態を示すブロック構成図である。２つのイーサネット（登録商標）機器１（１−１，１−２）はそれぞれ、イーサネット（登録商標）スイッチであり、ＩＥＥＥ８０２．３にて規定されているフレームを転送する機能、及びイーサネット（登録商標）インターフェース部のポート１１を有する。２つの中継伝送装置２（２−１，２−２）はそれぞれ、ポート２１、パケット処理部２２、及びＳＤＨ／ＳＯＮＥＴ伝送部２３を有し、ＳＤＨ／ＳＯＮＥＴ信号に対するイーサネット（登録商標）信号の収容、抽出を行う。２つのＶＣＧ管理装置４（４−１，４−２）は、互いに連携して、２つの中継伝送装置２間の伝送路上に設定されるバーチャルコンカチネーション・グループ（ＶＣＧ）の構成情報を管理する。この構成情報は、あらかじめ、システムの管理者などにより、伝送するイーサネット（登録商標）信号の必要帯域に応じて登録しておくものとする。
【００３６】
図１において、本例のバーチャルコンカチネーション伝送システムは、第１のイーサネット（登録商標）機器１−１のポート１１と、第１の中継伝送装置２−１のポート２１とが、ケーブル３１を介して接続されている。同様に、第２のイーサネット（登録商標）機器１−２のポート１１と、第２の中継伝送装置２−２のポート２１とが、ケーブル３２を介して接続されている。第１の中継伝送装置２−１のＳＤＨ／ＳＯＮＥＴ伝送部２３と、第２の中継伝送装置２−２のＳＤＨ／ＳＯＮＥＴ伝送部２３とが伝送路３３及び３４を通して接続されている。第１のＶＣＧ管理装置４−１、及び第２のＶＣＧ管理装置４−２は、互いに接続されているとともに、それぞれ第１の中継伝送装置２−１、及び第２の中継伝送装置２−２に接続されている。
【００３７】
さらに各イーサネット（登録商標）機器１（１−１，１−２）には、図示していないが、イーサネット（登録商標）信号を送受信する他の機器が接続されている。第１のイーサネット（登録商標）機器１−１は、自装置に接続された他の機器から受信したイーサネット（登録商標）信号のうち、第２のイーサネット（登録商標）機器１−２（及びその配下）へ送信すべき信号を、第１の中継伝送装置２−１へ送信する。その逆に、第１のイーサネット（登録商標）機器１−１は、第１の中継伝送装置２−１から受信した第２のイーサネット（登録商標）機器１−２（及びその配下）から送信されたイーサネット（登録商標）信号を、自装置に接続された対応する他の機器へ送信する。同様に、第２のイーサネット（登録商標）機器１−２は、自装置に接続された他の機器から受信したイーサネット（登録商標）信号のうち、第１のイーサネット（登録商標）機器１−１（及びその配下）へ送信すべき信号を、第２の中継伝送装置２−２へ送信する。その逆に、第２のイーサネット（登録商標）機器１−２は、第２の中継伝送装置２−２から受信した第１のイーサネット（登録商標）機器１−１（及びその配下）から送信されたイーサネット（登録商標）信号を、自装置に接続された対応する他の機器へ送信する。
【００３８】
第１の中継伝送装置２−１は、第１のイーサネット（登録商標）機器１−１から受信したイーサネット（登録商標）信号を、ＳＤＨ／ＳＯＮＥＴ信号に収容して、伝送路３４を通して第２の中継伝送装置２−２へ伝送する。第１の中継伝送装置２−１は反対に、伝送路３３を通して第２の中継伝送装置２−２から受信したＳＤＨ／ＳＯＮＥＴ信号からイーサネット（登録商標）信号を抽出して、第１のイーサネット（登録商標）機器１−１へ送信する。同様に、第２の中継伝送装置２−２は、第２のイーサネット（登録商標）機器１−２から受信したイーサネット（登録商標）信号を、ＳＤＨ／ＳＯＮＥＴ信号に収容して、伝送路３３を通して第１の中継伝送装置２−１へ伝送する。第２の中継伝送装置２−２は反対に、伝送路３４を通して第１の中継伝送装置２−１から受信したＳＤＨ／ＳＯＮＥＴ信号からイーサネット（登録商標）信号を抽出して、第２のイーサネット（登録商標）機器１−２へ送信する。
【００３９】
各中継伝送装置２（２−１，２−２）のパケット処理部２２は、ポート２１を介して接続されたイーサネット（登録商標）機器１（１−１，１−２）から入力されるイーサネット（登録商標）信号を、例えばＩＴＵ−Ｔ  Ｇ．７０４１のＧＦＰ等を用いてカプセル化を施す。なお、ＧＦＰとは、Ｇｅｎｅｒｉｃ  Ｆｒａｍｉｎｇ  Ｐｒｏｃｅｄｕｒｅ（ジェネリックフレーミングプロシジャー）のことである。ＧＦＰによれば、イーサネット（登録商標）などの各種プロトコルを、ＳＤＨ／ＳＯＮＥＴなどの伝送ネットワークに柔軟で効率よくマッピングすることができる。パケット処理部２２は、カプセル化した信号を、ＳＤＨ／ＳＯＮＥＴ伝送部２３に送信する。パケット処理部２２は反対に、ＳＤＨ／ＳＯＮＥＴ伝送部２３から受信したＧＦＰ等のパケットデータをデカプセル化し、イーサネット（登録商標）信号に変換して、ポート２１を介して接続されたイーサネット（登録商標）機器１（１−１，１−２）へ送信する。
【００４０】
各中継伝送装置２（２−１，２−２）のＳＤＨ／ＳＯＮＥＴ伝送部２３は、自装置のパケット処理部２２においてカプセル化されたパケットデータを、ＳＤＨ／ＳＯＮＥＴ信号のＨｏ−ＶＣ及びＬｏ−ＶＣにて構成されるＶＣＧ３５に収容する。ＳＤＨ／ＳＯＮＥＴ伝送部２３は、ＶＣＧ３５のＳＤＨ／ＳＯＮＥＴ信号を、伝送路３３，３４を通して対向する中継伝送装置２のＳＤＨ／ＳＯＮＥＴ伝送部２３へ送信する。ＳＤＨ／ＳＯＮＥＴ伝送部２３はまた、対向する中継伝送装置２のＳＤＨ／ＳＯＮＥＴ伝送部２３から受信したＶＣＧ３５の構成ＶＣパスより、パケットデータを取り出し、自装置のパケット処理部２２へ送信する。
【００４１】
図２は、図１のＳＤＨ／ＳＯＮＥＴ伝送部２３の詳細構成例を示すブロック構成図である。図２においてＳＤＨ／ＳＯＮＥＴ伝送部２３は、パケットデータをＳＤＨ／ＳＯＮＥＴ信号にマッピングする送信ブロック２４と、ＳＤＨ／ＳＯＮＥＴ信号をデマッピングしてパケットデータにする受信ブロック２５とを有する。図３に、送信ブロック２４の詳細ブロック構成例、図４に受信ブロック２５の詳細ブロック構成例を示す。
【００４２】
図３において、送信ブロック２４は、パケットバッファ２４１と、ペイロードマッピングブロック２４２と、ＰＯＨ挿入ブロック２４３と、ＳＯＨ送信インターフェースブロック２４４と、送信ＶＣＧコントローラ２４５と、送信ＭＦカウンタ２４６とを有している。なお、ＰＯＨは、Ｐａｔｈ  Ｏｖｅｒｈｅａｄ（パスオーバーヘッド）のことである。ＳＯＨは、Ｓｅｃｔｉｏｎ  Ｏｖｅｒｈｅａｄ（セクションオーバーヘッド）のことである。ＭＦは、ＭｕｌｔｉＦｒａｍｅ（マルチフレーム）のことである。
【００４３】
パケットバッファ２４１は、パケット処理部２２から送信されるパケットデータを格納する。ペイロードマッピングブロック２４２は、ＳＤＨ／ＳＯＮＥＴ信号のペイロード部にパケットバッファ２４１からのデータを格納する。ＰＯＨ挿入ブロック２４３は、ペイロードマッピングブロック２４２の出力信号にパスオーバーヘッド（ＰＯＨ）の挿入を行う。ＳＯＨ送信インターフェースブロック２４４は、ＰＯＨ挿入ブロック２４３の出力信号にセクションオーバーヘッド（ＳＯＨ）の挿入を行い、対向する中継伝送装置へ送出する。送信ＶＣＧコントローラ２４５は、ＶＣＧ管理装置４（４−１，４−２）からの外部制御より設定されたＶＣＧの構成情報に従い、パケットバッファ２４１、ペイロードマッピングブロック２４２、ＰＯＨ挿入ブロック２４３、及び送信ＭＦカウンタ２４６を制御する。送信ＭＦカウンタ２４６は、ＶＣＡＴのＭＦ（マルチフレーム）のカウント情報（ＭＦＩ）をＰＯＨ挿入ブロック２４３に送信する。
【００４４】
図４において、受信ブロック２５は、ＳＯＨ受信インターフェースブロック２５１と、ＰＯＨ終端ブロック２５２と、ＭＦアラインメントブロック２５３と、ペイロードデマッピングブロック２５４と、受信ＭＦカウンタ２５５と、受信ＶＣＧコントローラ２５６とを有している。
【００４５】
ＳＯＨ受信インターフェースブロック２５１は、対向する中継伝送装置より入力されるＳＤＨ／ＳＯＮＥＴ信号のＳＯＨを終端する。ＰＯＨ終端ブロック２５２は、ＳＯＨ受信インターフェースブロック２５１の出力信号のＰＯＨを終端する。ＭＦアラインメントブロック２５３は、ＰＯＨ終端ブロック２５２の出力信号のＨｏ−ＶＣとＬｏ−ＶＣとをメモリに格納し位相差を吸収する。ペイロードデマッピングブロック２５４は、ＭＦアラインメントブロック２５３の出力ＳＤＨ／ＳＯＮＥＴ信号のペイロード部よりデータを抽出する。受信ＭＦカウンタ２５５は、ＰＯＨ終端ブロック２５２から受信したＰＯＨよりマルチフレームをカウントし、マルチフレーム情報をＭＦアラインメントブロック２５３に送信する。受信ＶＣＧコントローラ２５６は、ＶＣＧ管理装置４（４−１，４−２）からの外部制御より設定されたＶＣＧの構成情報に従い、ＰＯＨ終端ブロック２５２、ペイロードデマッピングブロック２５４、及び受信ＭＦカウンタ２５５を制御する。
【００４６】
次に、本実施例の動作を説明する。ここでは、イーサネット（登録商標）機器１−１からイーサネット（登録商標）機器１−２へ、イーサネット（登録商標）信号を送信する場合を例に説明する。イーサネット（登録商標）機器１−２からイーサネット（登録商標）機器１−１へ、イーサネット（登録商標）信号を送信する場合の動作もまったく同様であり、各イーサネット（登録商標）機器１（１−１，１−２）及び中継伝送装置２（２−１，２−２）の符号を互いに読み替えればよい。
【００４７】
イーサネット（登録商標）機器１−１から出力されたイーサネット（登録商標）信号は、中継伝送装置２−１に入力され、ポート２１からパケット処理部２２へ入力される。パケット処理部２２にてカプセル化されたパケット信号が、ＳＤＨ／ＳＯＮＥＴ伝送部２３へ入力されて、送信ブロック２４へ入力される。
【００４８】
送信ブロック２４において、入力されたパケット信号は、パケットバッファ２４１に格納される。
【００４９】
送信ＶＣＧコントローラ２４５は、外部（ＶＣＧ管理装置４−１）からのＶＣＧの構成情報に従ったタイミングでパケットバッファ２４１へ送信タイミング信号を送信する。なお、ＶＣＧ管理装置４−１で管理されているＶＣＧの構成情報は、対向するＶＣＧ管理装置４−２にも伝達されている。
【００５０】
図５に、ＳＤＨ／ＳＯＮＥＴ信号と上記送信タイミング信号との時間的位置関係を示す。図５においては、Ｈｏ−ＶＣのＶＣ−３が２パス分と、Ｌｏ−ＶＣのＶＣ−１２が１パス分、同一のＶＣＧに収容する例を示している。使用するチャネルは、ＶＣ−３においては＃１と＃３、ＶＣ−１２においては＃２である。なお、ＶＣＧにおける各構成パスを識別するためのＳＱ（Ｓｅｑｕｅｎｃｅ：シーケンス）番号として、ＶＣ−３＃１がＳＱ０、ＶＣ−３＃３がＳＱ１、ＶＣ−１２＃１がＳＱ２をそれぞれ割り当てられている。これら各パスと、その使用チャネルや、ＳＱ番号等との情報が、ＶＣＧの構成情報として、ＶＣＧ管理装置４（４−１，４−２）に登録されており、送信ＶＣＧコントローラ２４５及び受信ＶＣＧコントローラ２５６に通知される。
【００５１】
さらに図５において、ＶＣ−３＃１及びＶＣ１２＃１のＶＣパスのフレームフォーマットを示し、ＳＤＨ／ＳＯＮＥＴ信号のバイト列における各ＶＣパスのタイムスロット（ＴＳ）の位置を示す。ＳＤＨ／ＳＯＮＥＴ信号をバイト列で表示した場合、図５に示すＳＤＨ／ＳＯＮＥＴ信号フォーマットの形をとる。つまりＳＤＨ／ＳＯＮＥＴ信号は決められたフレーム構造をとっているため、バイト列で見た場合においては固定的な場所（アドレス）に決められたチャンネルおよびタイムスロット（ＴＳ）が定義されている。
【００５２】
Ｈｏ−ＶＣであるＶＣ−３の１フレームは、１行あたり８５列のバイトデータが９行分あり、各行の先頭列にそれぞれ、Ｊ１，…，Ｈ４，…，Ｎ１の９種類のＰＯＨのうちの１つが格納されている。また、ＶＣ−３の１フレームの伝送時間は、０．１２５ｍｓである。
【００５３】
図９に示すように、ＶＣ−３は１６フレーム（ｆｒａｍｅ）で１マルチフレーム（ｍｕｌｔｉｆｒａｍｅ：ＭＦ）を構成し、２５６マルチフレーム（４０９６フレーム）で一巡する。１マルチフレームの伝送時間は２ｍｓであり、２５６マルチフレームの伝送時間は５１２ｍｓである。
【００５４】
Ｌｏ−ＶＣであるＶＣ−１２の１フレームは、４種類のＰＯＨ（Ｖ５，Ｊ２，Ｎ２，Ｋ４）で分割された４つのブロックで構成されている。各ブロックは、ＶＣ−３の１フレームの９行４列分に格納可能な、バイトデータ（ＰＯＨが先頭）で構成されている。各ブロックの伝送時間は、ＶＣ−３の１フレームに相当する０．１２５ｍｓであり、ＶＣ−１２の１フレームの伝送速度は、０．５ｍｓとなる。
【００５５】
図１０に示すように、ＶＣ−１２は、３２フレームで１マルチフレームを構成し、３２マルチフレーム（１０２４フレーム）で一巡する。１マルチフレームの伝送時間は１６ｍｓであり、３２マルチフレームの伝送時間は５１２ｍｓである。
【００５６】
ここで、送信ブロック２４の動作説明に戻る。
【００５７】
ＶＣＧを構成するＨｏ−ＶＣ及びＬｏ−ＶＣの構成チャネルが決定されると、図５に示すようにＳＤＨ／ＳＯＮＥＴ信号上のＶＣＧを構成するＶＣパスのアドレスに対してタイミング信号を送信する。このタイミング信号に対応させて、構成ＶＣパスのペイロード部へパケットデータをマッピングする。
【００５８】
すなわち、パケットバッファ２４１にて格納されているデータは、１バイト毎に、送信ＶＣＧコントローラ２４５から送信される送信タイミング信号に従い、ペイロードマッピングブロック２４２へと送信される。ペイロードマッピングブロック２４２は、送信ＶＣＧコントローラ２４５より送信される構成情報に従い、パケットバッファ２４１より送信されるバイトデータを、ＶＣＧを構成するＨｏ−ＶＣとＬｏ−ＶＣの各チャネルのペイロード部に順次格納する。ペイロードマッピングブロック２４２は、このデータをＰＯＨ挿入ブロック２４３へ送信する。
【００５９】
ＰＯＨ挿入ブロック２４３は、ペイロードマッピングブロック２４２から送信されるＳＤＨ／ＳＯＮＥＴ信号に対して、送信ＭＦカウンタ２４６から送信されるＭＦ情報と、送信ＶＣＧコントローラ２４５から送信されるＳＱ番号の情報とをそれぞれ挿入する。ＰＯＨ挿入ブロック２４３は、これらの情報を、Ｈｏ−ＶＣではＨ４バイト、Ｌｏ−ＶＣではＫ４バイト及びＮ２バイトにそれぞれ挿入し、Ｈｏ−ＶＣとＬｏ−ＶＣとが混在するＶＣＧ情報をもつＰＯＨを生成する。ＰＯＨ挿入ブロック２４３はまた、ＳＤＨ／ＳＯＮＥＴ信号のためのその他Ｈｏ−ＶＣ及びＬｏ−ＶＣのＰＯＨの生成も行う。
【００６０】
ここで、ＰＯＨ挿入ブロック２４３が行うＨｏ−ＶＣとＬｏ−ＶＣとのＭＦ情報の挿入に関して詳細に説明する。
【００６１】
Ｈｏ−ＶＣのＭＦ挿入に関しては、図６、図９に示される、ＩＴＵ−Ｔ  Ｇ．７０７にて定義されているＨ４バイトフォーマット通りに、そのままの形でもちいる。すなわち、各Ｈ４バイトの下位４ビット（ｂｉｔ５〜８＝ＭＦＩ１のｂｉｔ１〜４）で、１マルチフレーム内の１６個（０〜１５）のフレーム番号のいずれかを指定し、フレーム番号０及び１のＨ４バイトの各上位４ビット（各ｂｉｔ１〜４＝ＭＦＩ２のｂｉｔ１〜４及び５〜８）で２５６個のマルチフレームのいずれかの番号を指定する。上述したように、Ｈｏ−ＶＣのＭＦは、５１２ｍｓｅｃ周期、４０９６フレームである。各フレームを識別するためには、ＭＦＩ１の４ビット、ＭＦＩ２の８ビットを合計した１２ビットのカウンタを０．１２５ｍｓ単位でカウントアップすればよいことになる。
【００６２】
また、Ｈｏ−ＶＣのＳＱは、各マルチフレーム内のフレーム番号１４及び１５（１５番目及び１６番目のフレーム）のＨ４バイトの各上位４ビット（各ｂｉｔ１〜４＝ＳＱのｂｉｔ１〜４及び５〜８）で２５６個のＳＱのいずれかの番号を指定する。
【００６３】
一方、Ｌｏ−ＶＣのＭＦ挿入に関しては、ＩＴＵ−Ｔ  Ｇ．７０７にて定義されているものと異なる。まず、ＩＴＵ−Ｔ  Ｇ．７０７の定義を説明する。図１０に示すように、各フレーム（０．５ｍｓ周期）のＫ４バイトの特定の１ビット（ｂｉｔ２）の情報を数フレーム分蓄積することにより、３２個のマルチフレームのいずれかの番号を指定する。すなわち、１〜５番目のフレームのＫ４ｂｉｔ２の５ビット分の値により、ＭＦ番号を指定する。同様に、６〜１１番目のフレームのＫ４ｂｉｔ２の６ビット分の値により、６４個のＳＱ番号のいずれかを指定する。
【００６４】
上述したように、Ｌｏ−ＶＣのＭＦは、５１２ｍｓｅｃ周期、１０２４フレームである。Ｈｏ−ＶＣとＬｏ−ＶＣとでは、周期は５１２ｍｓで同一だが、フレームの速度（時間）が違う。Ｌｏ−ＶＣの１フレームは０．５ｍｓで、Ｈｏ−ＶＣの４フレームに相当することになる。また、Ｈｏ−ＶＣでは、ＰＯＨの値（Ｈ４）だけで直接、０．１２５ｍｓ単位の各フレームを識別することができたが、Ｌｏ−ＶＣでは、ＰＯＨの値（Ｋ４）だけで直接、識別できるフレームは、１６ｍｓ単位の各マルチフレームだけである。
【００６５】
本発明の目的である、Ｈｏ−ＶＣとＬｏ−ＶＣとを同一のＶＣＧとするためには、Ｌｏ−ＶＣを、１／４フレーム単位で、Ｈｏ−ＶＣの各フレームと対応付けできるようにしなければならない。
【００６６】
このため本発明では、Ｌｏ−ＶＣのＭＦを、Ｈｏ−ＶＣと同じ５１２ｍｓｅｃ周期、４０９６カウントのＭＦにあわせるために、図８に示すようなＭＦカウンタ（送信ＭＦカウンタ２４６内のパスごとのカウンタ）を定義する。Ｌｏ−ＶＣのＰＯＨであるＶ５バイト、Ｊ２バイト、Ｎ２バイト、Ｋ４バイトの送信時にそれぞれ１カウントとし、Ｖ５バイト送信時を“００ｂ”、Ｊ２バイト送信時を“０１ｂ”、Ｎ２バイト送信時を“１０ｂ”、Ｋ４バイト送信時を“１１ｂ”とする。そして、このカウント値を、図８に示すＭＦカウンタのビット桁１〜２（Ｂｉｔ２とＢｉｔ１）に割り当てる。
【００６７】
なお、受信時において、それぞれＬｏ−ＶＣのＰＯＨを読み取るためには、ポインタ処理が必須であるが、それら機構に関しては当業者にとってよく知られており、また本発明とは直接関係しないので、その詳細な説明は省略する。Ｈｏ−ＶＣのポインタ処理に関しても、同様に本発明とは直接関係しないので、説明は省略する。
【００６８】
さらにＭＦカウンタの説明を続ける。図７，図１０に示すＩＴＵ−Ｔ  Ｇ．７０７にて定義されるＫ４  ｂｉｔ２を用いた３２ＭＦのＢｉｔ５−１を、図８に示すＭＦカウンタのＢｉｔ１２−８に割り当てる。またＭＦカウンタのＢｉｔ７−３に関してはＮ２バイトを用いる。Ｇ．７０７において、Ｎ２バイトはＬｏ−ＶＣのタンデムコネクション用のオプションバイトとして示されている。しかし本発明においては、Ｎ２バイトをＭＦカウンタの一部として用いることとし、ＭＦカウンタにＮ２バイトのＢｉｔ５−１を割り当て、ＭＦ情報を挿入する。すなわちＮ２バイトの周期である０．５ｍｓｅｃ毎にカウントアップするカウンタとする。
【００６９】
以上説明したＬｏ−ＶＣのＭＦカウンタの定義により、Ｌｏ−ＶＣの本来の０．５ｍｓ周期の１フレームが、あたかも、４種類のＰＯＨの各々（Ｖ５，Ｊ２，Ｎ２，Ｋ４）を先頭とする０．１２５ｍ周期の４フレームに分割されたかのようにみなせる。一方、Ｈｏ−ＶＣのＭＦカウンタの定義では、Ｈｏ−ＶＣの本来の０．１２５ｍｓ周期の１フレームは、そのままである。このため、各ＭＦカウンタに基づいて、Ｌｏ−ＶＣのデータ送受信のタイミングをＨｏ−ＶＣのデータ送受信のタイミングに合わせることができるようになる。
【００７０】
また、受信ブロック２５の受信ＭＦカウンタ２５５内のパスごとのカウンタも、上述したＭＦカウンタ（送信ＭＦカウンタ２４６内のパスごとのカウンタ）と同様の定義とする。
【００７１】
ＶＣＧの構成情報は、送信ＶＣＧコントローラ２４５に、外部制御（ＶＣＧ管理装置４）により設定する。送信ＶＣＧコントローラ２４５は、外部制御により指示されたＶＣＧのＨｏ−ＶＣとＬｏ−ＶＣとのチャンネル及び、ＳＱ番号を管理し、パケットバッファ２４１と、ペイロードマッピングブロック２４２と、ＰＯＨ挿入ブロック２４３と、送信ＭＦカウンタ２４６とを制御する。
【００７２】
ＳＯＨ送信インターフェースブロック２４４は、ＰＯＨ挿入ブロック２４３の出力信号（ＳＤＨ／ＳＯＮＥＴ信号）によりセクションオーバーヘッド（ＳＯＨ）を挿入し、伝送路３４を介して対向する中継伝送装置２−２へ送出する。
【００７３】
中継伝送装置２−２では、受信したＳＤＨ／ＳＯＮＥＴ信号を、ＳＤＨ／ＳＯＮＥＴ伝送部２３の受信ブロック２５のＳＯＨ受信インターフェースブロック２５１へ入力する。
【００７４】
ＳＯＨ受信インターフェースブロック２５１は、入力されたＳＤＨ／ＳＯＮＥＴ信号のＳＯＨを終端する。ＳＯＨ受信インターフェースブロック２５１は、ＳＯＨを終端したＳＤＨ／ＳＯＮＥＴ信号をＰＯＨ終端ブロック２５２に入力する。
【００７５】
ＰＯＨ終端ブロック２５２は、受信ＶＣＧコントローラ２５６によりＶＣＧを構成するＬｏ−ＶＣとＨｏ−ＶＣとの情報が入力される。なお、受信ＶＣＧコントローラ２５６へのＶＣＧの構成情報の設定は、外部制御（ＶＣＧ管理装置４）により行われる。ＰＯＨ終端ブロック２５２は、この構成情報に従ってＶＣＧを構成している各Ｈｏ−ＶＣとＬｏ−ＶＣとのＰＯＨのポインタ値を読み取る。そしてＰＯＨ終端ブロック２５２は、ＰＯＨ部を終端して、ＳＤＨ／ＳＯＮＥＴ信号のペイロードデータと、ポインタ値より求めた各ＶＣパスのＰＯＨ先頭位置情報とをＭＦアラインメントブロック２５３に送信する。
【００７６】
またＰＯＨ終端ブロック２５２によって終端されたＰＯＨのＨ４バイト、及びＶ５バイト、Ｊ２バイト、Ｎ２バイト、Ｋ４バイトは、受信ＭＦカウンタ２５５によってＶＣＧの構成要素であるＭＦとＳＱ番号が抽出される。受信ＭＦカウンタ２５５は、抽出結果に基づいて、各ＶＣパスの位相差情報をＭＦアラインメントブロック２５３に、そして各ＶＣパスのＳＱ番号情報を受信ＶＣＧコントローラ２５６に送信する。
【００７７】
ＭＦアラインメントブロック２５３は、ＰＯＨ終端ブロック２５２からペイロードデータ及びＰＯＨ先頭位置情報を受け取り、受信ＭＦカウンタ２５５からＶＣＧを構成するＶＣパスのＭＦ位相情報を受け取る。ＭＦアラインメントブロック２５３は、これらの情報に基づいて、各ＶＣパスに対してＭＦの位相合わせとポインタ処理を行う。ＭＦアラインメントブロック２５３は、メモリで構成されているため、読み出し位置の調整を行うことでＭＦの位相合わせと、Ｈｏ−ＶＣ、Ｌｏ−ＶＣのポインタ処理とを実現する。
【００７８】
ペイロードデマッピングブロック２５４は、位相がそろえられたＶＣパスのペイロードデータを受信し、各ＶＣパスに設定されているＶＣＧ構成情報に従い各ＶＣパスのペイロードデータの並び替えを行う。ペイロードデマッピングブロック２５４は、ペイロードデータの並び替えにより対向側で送信されたパケットデータ（ＧＦＰ等によりカプセル化されたパケットデータ）を復元する。ペイロードデマッピングブロック２５４は、このパケットデータを、パケット処理部２２へ送信する。
【００７９】
パケット処理部２２は、ペイロードデマッピングブロック２５４からのパケットデータをデカプセル化し、イーサネット（登録商標）信号に変換して、ポート２１を通してイーサネット（登録商標）機器１−２へ送信する。
【００８０】
以上説明したように、本実施例（実施例１）では、Ｈｏ−ＶＣであるＶＣ−４やＶＣ−３などのパス、及びＬｏ−ＶＣであるＶＣ−１２やＶＣ−１１などのパスを、送信データの必要帯域に応じて、それぞれ所定数分選択して同一ＶＣＧとする。そして、各パスにおけるフレームのＶＣＧ内の位置及び送信順序を示すための識別情報（ＳＱ，及びＭＦＩ）の表示形式を、Ｈｏ−ＶＣパスにおける識別情報の表示形式に合わせる。この表示形式の合わせられた識別情報に基づいて、各パスのフレームに対し、送信データのマッピングと、受信した送信データのデマッピングを行う。これにより、送信データの必要帯域に対応した様々な伝送速度のパスによる最も効率的なＶＣＧを設定できるようになり、ＩＴＵ−Ｔ  Ｇ．７０７にて勧告されている従来のＶＣＡＴ技術よりも自由度の高いＶＣＧを構築することができる。
【実施例２】
【００８１】
次に、本発明の他の実施の形態を説明する。
【００８２】
上述した実施例１においては、ＶＣＧ管理装置４（４−１，４−２）に登録されているＶＣＧの構成情報は、あらかじめ、システムの管理者などにより、伝送するイーサネット（登録商標）信号の必要帯域に応じて登録しておいた。本実施例（実施例２）においては、ＶＣＧ管理装置４（４−１，４−２）が、伝送するイーサネット（登録商標）信号の必要帯域を動的に判定し、対応するＶＣＧの構成情報を自律的に決定する。なお、本例のバーチャルコンカチネーション伝送システム、伝送装置の基本的な構成、動作を示す図は、実施例１の説明において使用した図１〜１０と同様である。
【００８３】
送信側の中継伝送装置２、例えば中継伝送装置２−１は、パケット処理部２２、あるいはＳＤＨ／ＳＯＮＥＴ伝送部２３のパケットバッファ２４１において、イーサネット（登録商標）機器１−１からイーサネット（登録商標）機器１−２へ伝送すべきイーサネット（登録商標）信号の必要帯域を検出する。検出されたイーサネット（登録商標）信号の必要帯域は、送信ＶＣＧコントローラ２４５を介して接続されているＶＣＧ管理装置４−１へ送出される。
【００８４】
ＶＣＧ管理装置４−１は、あらかじめ登録されたデータベースを参照して、必要帯域に応じてＶＣＧのメンバとして組み合わせるべきＨｏ−ＶＣ及びＬｏ−ＶＣ各々の数量、ＳＱ番号、使用タイムスロットなどのＶＣＧの構成情報を決定する。ＶＣＧ管理装置４−１は、決定したＶＣＧの構成情報を、送信ＶＣＧコントローラ２４５へ通知するとともに、対向するＶＣＧ管理装置４−２へ通知する。
【００８５】
ＶＣＧ管理装置４−２は、ＶＣＧ管理装置４−１から受信したＶＣＧの構成情報を受信側の中継伝送装置２−２の受信ＶＣＧコントローラ２５６へ通知する。
【００８６】
以降の中継伝送装置２−１及び２−２における動作は、実施例１の場合と同様であるので、説明は省略する。
【００８７】
本実施例（実施例２）では、送信データの必要帯域の変動に応じてＶＣＧを構成する各パスの数量を自動的に変更するので、実施例１の場合よりもさらに効率的なＶＣＧを設定することができる。
【図面の簡単な説明】
【００８８】
【図１】本発明の一実施の形態を示すブロック構成図である。
【図２】図１のＳＤＨ／ＳＯＮＥＴ伝送部２３の詳細構成例を示すブロック構成図である。
【図３】図２の送信ブロック２４の詳細構成例を示すブロック構成図である。
【図４】図２の受信ブロック２５の詳細構成例を示すブロック構成図である。
【図５】本発明におけるＳＤＨ／ＳＯＮＥＴ信号と送信タイミング信号との時間的位置関係を示す図である。
【図６】ＩＴＵ−Ｔ  Ｇ．７０７にて定義されているＨ４バイトフォーマットを示す図である。
【図７】ＩＴＵ−Ｔ  Ｇ．７０７にて定義されるＫ４  ｂｉｔ２を示す図である。
【図８】本発明におけるＭＦカウンタの定義を示す図である。
【図９】図６に示すＨ４バイトフォーマットによるマルチフレームの構成を説明する図である。
【図１０】図７に示すＫ４  ｂｉｔ２によるマルチフレームの構成を説明する図である。
【符号の説明】
【００８９】
１（１−１，１−２）    イーサネット（登録商標）機器
２（２−１，２−２）    中継伝送装置
４（４−１，４−２）    ＶＣＧ管理装置
２２    パケット処理部
２３    ＳＤＨ／ＳＯＮＥＴ伝送部
２４    送信ブロック
２５    受信ブロック
２４１    パケットバッファ
２４２    ペイロードマッピングブロック
２４３    ＰＯＨ挿入ブロック
２４４    ＳＯＨ送信インターフェースブロック
２４５    送信ＶＣＧコントローラ
２４６    送信ＭＦカウンタ
２５１    ＳＯＨ受信インターフェースブロック
２５２    ＰＯＨ終端ブロック
２５３    ＭＦアラインメントブロック
２５４    ペイロードデマッピングブロック
２５５    受信ＭＦカウンタ
２５６    受信ＶＣＧコントローラ
【図１】
0004735080.tif 000002
【図２】
0004735080.tif 000003
【図３】
0004735080.tif 000004
【図４】
0004735080.tif 000005
【図５】
0004735080.tif 000006
【図６】
0004735080.tif 000007
【図７】
0004735080.tif 000008
【図８】
0004735080.tif 000009
【図９】
0004735080.tif 000010
【図１０】
0004735080.tif 000011